(57)【要約】【課題】  オートフォーカスモードのまま他の被写体を迅速に撮影できる撮影方法、撮像装置、カメラ付き携帯電話機、及びプログラムの提供【解決手段】  デジタルカメラ１は、オートフォーカスモードでの撮影時に、１枚目の撮影はオートフォーカスで行い、１枚目を撮影してから所定時間以内にユーザがシャッターキー９を一気（つまり、極く短時間内）に全押しすると改めてオートフォーカス制御することなしに前回（つまり１枚目）のＡＦ値をそのまま用いて撮影することができるので、オートフォーカスモードを選択している状態で、１枚目の撮影が終わった後に、撮影した被写体の近くに生じたシャッターチャンスを逃さずにピントが合った写真を撮影することができる。【選択図】  図１
2006098589.tif 000002
【特許請求の範囲】
【請求項１】
撮像指示入力手段の操作による撮像指示により、被写体を撮影してその画像データを生成する撮像手段と、生成した画像を記録するメモリと、前記被写体の撮影時に自動合焦を行うオートフォーカス機能を備えた撮像装置において、
前記撮像指示入力手段の第１のストローク操作により自動合焦制御を行って合焦値を得た後、前記撮像指示入力手段の第２のストローク操作により１枚目の撮影を行い、
１枚目の撮影から前記撮像指示入力手段の第２のストローク操作までの時間が所定時間内であって、かつ該撮像指示入力手段の第２のストローク操作時間が所定の短時間内に行われた場合には、前記１枚目の撮影時に得た合焦値を用いて２枚目の撮影を行うことを特徴とする撮影方法。
【請求項２】
撮像指示入力手段の操作による撮像指示により、被写体を撮影してその画像データを生成する撮像手段と、生成した画像を記録するメモリと、前記被写体の撮影時に自動合焦を行うオートフォーカス機能を備えた撮像装置における撮影方法であって、
前記撮像指示入力手段の第１のストローク操作により自動合焦制御を行って合焦値を得た後、前記撮像指示入力手段の第２のストローク操作により１枚目の撮影を行い、
１枚目の撮影後に前記撮像指示入力手段の第２のストローク操作があると、所定の合焦要否判定情報に基いて２枚目の撮影時の合焦要否判定を行い、合焦要否判定結果が合焦制御不要の場合であって、かつ該第２のストローク操作時間が所定の短時間内に行われた場合には、前記１枚目の撮影時に得た合焦値を用いて２枚目の撮影を行うことを特徴とする撮影方法。
【請求項３】
前記合焦要否判定情報はカメラ本体の動きの検出情報であり、合焦要否判定は前記検出情報に基いてカメラ本体の位置の差が閾値以下の場合は合焦要否判定結果を合焦制御不要とすることを特徴とする請求項２記載の撮影方法。
【請求項４】
撮像指示入力手段の操作による撮像指示により、被写体を撮影してその画像データを生成する撮像手段と、生成した画像を記録するメモリと、前記被写体の撮影時に自動合焦を行うオートフォーカス機能とを備えたカメラ付き折畳式携帯電話機における撮影方法であって、
この携帯電話機の蓋が開状態のとき、撮像指示入力手段のストローク操作により自動合焦制御を行って合焦値を得た後、１枚目の撮影を行い、
１枚目の撮影後、この携帯電話機の蓋が開状態のときは前記撮像指示入力手段のストローク操作により、前記１枚目の撮影時に得た合焦値を用いて次の撮影を行うことを特徴とする撮影方法。
【請求項５】
撮像指示入力手段の操作による撮像指示により、被写体を撮影してその画像データを生成する撮像手段と、生成した画像を記録するメモリと、前記被写体の撮影時に自動合焦を行うオートフォーカス機能とを備えたカメラ付き携帯電話機における撮影方法であって、
前記撮像指示入力手段のストローク操作により自動合焦制御を行って合焦値を得た後、１枚目の撮影を行い、
１枚目の撮影後に前記撮像指示入力手段のストローク操作があると、所定の合焦要否判定情報に基く次の撮影の合焦要否判定を行い、合焦要否判定結果が合焦制御不要の場合に前記１枚目の撮影時に得た合焦値を用いて次の撮影を行うことを特徴とする撮影方法。
【請求項６】
前記合焦要否判定情報は撮影モードであり、合焦要否判定は前記撮影モードが２枚目の撮影時に同一である場合は合焦要否判定結果を合焦制御不要とすることを特徴とする請求項５記載の撮影方法。
【請求項７】
撮像指示を行う撮像指示入力手段と、前記撮像指示入力手段の第１のストローク操作により撮影時に自動合焦制御を行うオートフォーカス手段と、前記撮像指示入力手段の第２のストローク操作により撮影を行い、その画像データを生成する撮像手段と、生成した画像データを記録保存する画像記録手段と、
撮影枚数が１枚目か否かの枚数判定情報と、１枚目の撮影から前記撮像指示入力手段の第２のストローク操作までの時間を計測する撮影間隔計測手段と、該撮像指示入力手段の第２のストローク操作時間を計測する操作時間計測手段と、
前記枚数判定情報が１枚目の撮影を意味しているときは、前記第１のストローク操作により前記オートフォーカス手段による自動合焦制御を行ってから前記撮像指示入力手段の第２のストローク操作により撮影を行うように前記撮像手段を制御し、前記枚数判定情報が２枚目の撮影を意味しているときは、前記撮像指示入力手段の第２のストローク操作があると、前記撮影間隔計測手段による撮影間隔の計測時間が所定時間内であって、かつ、前記操作時間計測手段による前記撮像指示入力手段の第２のストローク操作時間が所定の短時間内に行われた場合にのみ前記１枚目の撮影時に得た合焦値を用いて２枚目の撮影を行うように前記撮像手段を制御する撮影制御手段と、
を備えたことを特徴とする撮像装置。
【請求項８】
撮像指示を行う撮像指示入力手段と、前記撮像指示入力手段の第１のストローク操作により撮影時に自動合焦制御を行うオートフォーカス手段と、前記撮像指示入力手段の第２のストローク操作により撮影を行い、その画像データを生成する撮像手段と、生成した画像データを記録保存する画像記録手段と、
撮影枚数が１枚目か否かの枚数判定情報と、１枚目の撮影後、所定の合焦要否判定情報に基いて２枚目の撮影時の合焦要否判定を行う合焦要否判定手段と、前記撮像指示入力手段の第２のストローク操作時間を計測する操作時間計測手段と、
前記枚数判定情報が１枚目の撮影を意味しているときは、前記第１のストローク操作により前記オートフォーカス手段による自動合焦制御を行ってから前記撮像指示入力手段の第２のストローク操作により撮影を行うように前記撮像手段を制御し、前記枚数判定情報が２枚目以降の撮影を意味しているときは、前記撮像指示入力手段の第２のストローク操作があると、前記合焦要否判定手段に２枚目の撮影時の合焦要否判定を行わせ、合焦要否判定結果が合焦制御不要の場合であって、かつ該第２のストローク操作時間が所定の短時間内に行われた場合にのみ、前記１枚目の撮影時に得た合焦値を用いて２枚目の撮影を行うように前記撮像手段を制御する撮影制御手段と、
を備えたことを特徴とする撮像装置。
【請求項９】
撮像指示入力手段の操作による撮像指示により、被写体を撮影してその画像データを生成する撮像手段と、生成した画像を記録するメモリと、前記被写体の撮影時に自動合焦を行うオートフォーカス機能とを備えたカメラ付き折畳式携帯電話機において、
この携帯電話機の蓋の開開状態を検出する開閉検出手段と、
撮像モードにおいて、前記撮像指示入力手段のストローク操作により自動合焦制御を行って合焦値を得た後、１枚目の撮影を行うよう前記撮像手段を制御し、１枚目の撮影後、この携帯電話機の蓋が開状態のときに前記撮像指示入力手段のストローク操作があると、前記１枚目の撮影時に得た合焦値を用いて２枚目の撮影を行うように前記撮像手段を制御する撮影制御手段と、を備えたことを特徴とするカメラ付き携帯電話機。
【請求項１０】
撮像指示入力手段の操作による撮像指示により、被写体を撮影してその画像データを生成する撮像手段と、生成した画像を記録するメモリと、前記被写体の撮影時に自動合焦を行うオートフォーカス機能とを備えたカメラ付き携帯電話機において、
所定の合焦要否判定情報に基いて２枚目の撮影時の合焦要否判定を行う合焦要否判定手段と、
前記撮像指示入力手段のストローク操作により自動合焦制御を行って合焦値を得た後、１枚目の撮影を行い、
１枚目の撮影後、前記撮像指示入力手段のストローク操作があると、前記合焦要否判定手段に２枚目の撮影時の合焦要否判定を行わせ、合焦要否判定結果が合焦制御不要の場合に前記撮像指示入力手段のストローク操作により前記１枚目の撮影時に得た合焦値を用いて２枚目の撮影を行うように撮像手段を制御する撮影制御手段と、
を備えたことを特徴とするカメラ付き携帯電話機。
【請求項１１】
撮像指示を行う撮像指示入力手段と、前記撮像指示入力手段の第１のストローク操作により撮影時に自動合焦制御を行うオートフォーカス手段と、前記撮像指示入力手段の第２のストローク操作により撮影を行い、その画像データを生成する撮像手段と、生成した画像データを記録保存する画像記録手段とを備えた撮像装置において実行可能なプログラムであって、
撮影枚数を１枚目に設定させるプログラムステップと、１枚目の撮影から前記撮像指示入力手段の第２のストローク操作までの時間を計測させるプログラムステップと、前記撮像指示入力手段の第２のストローク操作時間を計測させるプログラムステップと、
前記撮影枚数が１枚目の場合に、前記第１のストローク操作があると前記オートフォーカス手段に自動合焦制御を行わせるプログラムステップと、前記撮像手段に１枚目の撮影を行わせるプログラムステップと、１枚目の撮影後に撮影枚数を１枚目以降に設定させるプログラムステップと、
前記撮影枚数が２枚目以上の場合に前記撮像指示入力手段の第２のストローク操作があると、１枚目の撮影から前記撮像指示入力手段の第２のストローク操作までの時間が所定時間内であって、かつ、前記撮像指示入力手段の第２のストローク操作時間が一定時間内に行われたか否かを判定させるプログラムステップと、
判定結果が、１枚目の撮影から前記撮像指示入力手段の第２のストローク操作までの時間が所定時間内であって、かつ、前記撮像指示入力手段の第２のストローク操作時間が一定時間内に行われた場合にのみ前記撮像手段に前記１枚目の撮影時に得た合焦値を用いて２枚目の撮影を行わせるプログラムステップと、
を備えたことを特徴とするプログラム。
【請求項１２】
撮像指示を行う撮像指示入力手段と、前記撮像指示入力手段の第１のストローク操作により撮影時に自動合焦制御を行うオートフォーカス手段と、前記撮像指示入力手段の第２のストローク操作により撮影を行い、その画像データを生成する撮像手段と、生成した画像データを記録保存する画像記録手段と、を備えた撮像装置において実行可能なプログラムであって、
撮影枚数を１枚目に設定させるプログラムステップと、前記撮像指示入力手段の第２のストローク操作時間を計測させるプログラムステップと、
前記撮影枚数が１枚目の場合に、前記第１のストローク操作があると前記オートフォーカス手段に自動合焦制御を行わせるプログラムステップと、前記撮像手段に１枚目の撮影を行わせるプログラムステップと、１枚目の撮影後に撮影枚数を２枚目以降に設定させるプログラムステップと、
前記撮影枚数が２枚目以上の場合に前記撮像指示入力手段の第２のストローク操作があると、所定の合焦要否判定情報に基いて２枚目の撮影時の合焦要否判定を行わせるプログラムステップと、合焦要否判定結果が合焦制御不要の場合であって、かつ該撮像指示入力手段の第２のストローク操作時間が一定時間内の場合にのみ前記撮像手段に前記１枚目の撮影時に得た合焦値を用いて２枚目の撮影を行わせるプログラムステップと、
を備えたことを特徴とするプログラム。
【請求項１３】
撮像指示入力手段のストローク操作による撮像指示により、被写体を撮影してその画像データを生成する撮像手段と、生成した画像を記録するメモリと、前記被写体の撮影時に自動合焦を行うオートフォーカス機能とを備えたカメラ付き折畳式携帯電話機において実行可能なプログラムであって、
撮像モードにおいて、前記撮像指示入力手段のストローク操作があると、前記撮像手段に自動合焦を行わせるプログラムステップと、自動合焦後に１枚目の撮影を行わせるプログラムステップと、
１枚目の撮影後、この携帯電話機の開閉状態を検出させるプログラムステップと、この携帯電話機が開状態のときは前記撮像指示入力手段のストローク操作があると、前記撮像手段に前記１枚目の撮影時に得た合焦値を用いて２枚目の撮影を行わせるプログラムステップと、
を備えたことを特徴とするプログラム。
【請求項１４】
撮像指示入力手段の操作による撮像指示により、被写体を撮影してその画像データを生成する撮像手段と、生成した画像を記録するメモリと、前記被写体の撮影時に自動合焦を行うオートフォーカス機能とを備えたカメラ付き携帯電話機において実行可能なプログラムであって、
所定の合焦要否判定情報に基いて２枚目の撮影時の合焦要否判定を行う合焦要否判定手段と、
前記撮像指示入力手段のストローク操作があったとき前記撮像手段に自動合焦を行わせるプログラムステップと、自動合焦後に１枚目の撮影を行わせるプログラムステップと、
１枚目の撮影後、前記撮像指示入力手段のストローク操作があると、２枚目の撮影時の合焦要否判定を行わせるプログラムステップと、合焦要否判定結果が合焦制御不要の場合に、前記撮像指示入力手段のストローク操作があると、前記撮像手段に前記１枚目の撮影時に得た合焦値を用いて２枚目の撮影を行わせるプログラムステップと、
を備えたことを特徴とするプログラム。
【発明の詳細な説明】
【技術分野】
【０００１】
本発明は、例えば、デジタルカメラ等の撮像装置やカメラ機能付き携帯電話機等に好適な、撮影方法、撮像装置、及びプログラムに関する。
【背景技術】
【０００２】
カメラで撮影を行う際、シャッターを半押しするとオートフォーカス（自動焦点：ＡＦ
処理）を行い、シャッターを全押しするとその撮影条件で撮影されるのが一般的である。  従来、自動合焦（ＡＦ)機能を有するカメラにおいて、スナップ的な使い方をしたい場合やＡＦ方式によるピントが合いにくい状況下の撮影に関して、失敗なく迅速に撮影を行うものとして、あえてＡＦ機能を使用せず、一定の被写体深度を有する固定焦点として撮影を実行するようにしたものが考えられている（例えば、特許文献１参照）。
【０００３】
しかしながら、上記特許文献１に開示のカメラではオートフォーカス（自動焦点）モードとパンフォーカス（固定焦点）モードとをモード切り替えにより任意選択する必要があるので、オートフォーカスモードを選択している状態から即時にパンフォーカスモードでの迅速な撮影を行うことができず、大切なシャッターチャンスを逃してしまう可能性があった。また、オートフォーカス処理には多少時間がかかるため、ピントが合わないうちにシャッターボタンを押しこむとピンぼけ写真が撮れてしまうという課題があった。
【特許文献１】特開２００２−９０８２３号公報
【発明の開示】
【発明が解決しようとする課題】
【０００４】
ここで、オートフォーカス処理である被写体を撮影したあとにその近くの被写体を撮影しようとする場合に、直前のＡＦ撮影データをそのまま用いて撮影すれば、いちいちオートフォーカス制御をするよりも素早く撮影ができるし良好な画質の写真を得ることができる。
【０００５】
本発明は、オートフォーカスモードのままで他の被写体を迅速に撮影できる、撮影方法、撮像装置、カメラ付き携帯電話機、及びプログラムの提供を目的とする。
【課題を解決するための手段】
【０００６】
上記課題を解決するために、請求項１に記載の発明では、撮像指示入力手段の操作による撮像指示により、被写体を撮影してその画像データを生成する撮像手段と、生成した画像を記録するメモリと、被写体の撮影時に自動合焦を行うオートフォーカス機能を備えた撮像装置において、撮像指示入力手段の第１のストローク操作により自動合焦制御を行って合焦値を得た後、撮像指示入力手段の第２のストローク操作により１枚目の撮影を行い、１枚目の撮影から撮像指示入力手段の第２のストローク操作までの時間が所定時間内であって、かつ該撮像指示入力手段の第２のストローク操作時間が所定の短時間内に行われた場合には、１枚目の撮影時に得た合焦値を用いて２枚目の撮影を行うことを特徴とする撮影方法を提供する。  
これにより、撮像装置は、１枚目を撮影してから所定時間以内に撮像指示手段（シャッターキー）を一気（つまり、一定時間内（極く短時間内））にストローク操作すると改めてオートフォーカス制御することなしに前回（つまり１枚目）の合焦値をそのまま用いて２枚目以降を撮影することができるので、オートフォーカスで、ある被写体を撮影したあとに同一の被写体又はその近くの被写体を撮影しようとする場合、例えば、子供が何人か並んでいて順番に撮っていくような場合に、オートフォーカスを行うことなく直前のＡＦ撮影データをそのまま用いて撮影でき、いちいちオートフォーカス制御をするよりも素早く撮影ができるし良好な画質の写真を得ることができる。つまり、オートフォーカスモードを選択している状態で、１枚目の撮影が終わった後に、撮影した被写体の近くに生じたシャッターチャンスを逃さずにピントが合った写真を撮影することができる。
【０００７】
また、請求項２に記載の発明では、撮像指示入力手段の操作による撮像指示により、被写体を撮影してその画像データを生成する撮像手段と、生成した画像を記録するメモリと、被写体の撮影時に自動合焦を行うオートフォーカス機能を備えた撮像装置における撮影方法であって、撮像指示入力手段の第１のストローク操作により自動合焦制御を行って合焦値を得た後、撮像指示入力手段の第２のストローク操作により１枚目の撮影を行い、１枚目の撮影後に撮像指示入力手段の第２のストローク操作があると、所定の合焦要否判定情報に基いて２枚目の撮影時の合焦要否判定を行い、合焦要否判定結果が合焦制御不要の場合であって、かつ該第２のストローク操作時間が所定の短時間内に行われた場合には、１枚目の撮影時に得た合焦値を用いて２枚目の撮影を行うことを特徴とする撮影方法を提供する。  
これにより、撮像装置は、１枚目を撮影してから行う合焦要否判定の結果が合焦制御不要を意味する場合は、撮像指示手段を一気（つまり、一定時間内（極く短時間内））にストローク操作すると改めてオートフォーカス制御することなしに１枚目の合焦値をそのまま用いて撮影することができるので、第１の発明と同様の効果を奏する。
【０００８】
また、請求項３に記載の発明では、合焦要否判定情報はカメラ本体の動きの検出情報であり、合焦要否判定は検出情報に基いてカメラ本体の位置の差が閾値以下の場合は合焦要否判定結果を合焦制御不要とすることを特徴とする請求項２記載の撮影方法を提供する。
これにより、撮像装置は、１枚目を撮影してから撮像装置本体を動かさないで撮像指示手段を一気（つまり、一定時間内（極く短時間内））にストローク操作すると改めてオートフォーカス制御することなしに前回（つまり１枚目）の合焦値をそのまま用いて撮影することができるので、第１の発明と同様の効果を奏する。
【０００９】
また、請求項４に記載の発明では、撮像指示入力手段の操作による撮像指示により、被写体を撮影してその画像データを生成する撮像手段と、生成した画像を記録するメモリと、被写体の撮影時に自動合焦を行うオートフォーカス機能とを備えたカメラ付き折畳式携帯電話機における撮影方法であって、この携帯電話機の蓋が開状態のとき、撮像指示入力手段のストローク操作により自動合焦制御を行って合焦値を得た後、１枚目の撮影を行い、１枚目の撮影後、この携帯電話機の蓋が開状態のときは撮像指示入力手段のストローク操作により、１枚目の撮影時に得た合焦値を用いて次の撮影を行うことを特徴とする撮影方法を提供する  。
これにより、カメラ機能付きの折畳式携帯電話機は、蓋が開いている間は１枚目の撮影で得た合焦値等の撮影条件で２枚目以降の撮影を行うことができるので、「待ち受け」などＣＰＵがカメラ機能以外の動作を行う携帯電話機において、ＣＰＵの負担を伴うオートフォーカスを撮影のたびに行う必要がなくなるのでＣＰＵの負担を軽減できる。
【００１０】
また、請求項５に記載の発明では、撮像指示入力手段の操作による撮像指示により、被写体を撮影してその画像データを生成する撮像手段と、生成した画像を記録するメモリと、被写体の撮影時に自動合焦を行うオートフォーカス機能とを備えたカメラ付き携帯電話機における撮影方法であって、撮像指示入力手段のストローク操作により自動合焦制御を行って合焦値を得た後、１枚目の撮影を行い、１枚目の撮影後に撮像指示入力手段のストローク操作があると、所定の合焦要否判定情報に基く次の撮影の合焦要否判定を行い、合焦要否判定結果が合焦制御不要の場合に１枚目の撮影時に得た合焦値を用いて次の撮影を行うことを特徴とする撮影方法を提供する。  
これにより、カメラ付き携帯電話機は、合焦要否判定情報の内容が変わらなければ１枚目の撮影時に得た合焦値等の撮影条件で２枚目以降の撮影を行うことができるので、オートフォーカスで、ある被写体を撮影したあとに同一の被写体又はその近くの被写体を撮影しようとする場合、いちいちオートフォーカス制御をするよりも素早く撮影ができるし良好な画質の写真を得ることができる。つまり、オートフォーカスモード選択している状態で、１枚目の撮影が終わった後に、撮影した被写体の近くに生じたシャッターチャンスを逃さずにピントが合った写真を撮影することができる。
【００１１】
また、請求項６記載の発明では、合焦要否判定情報は撮影モードであり、合焦要否判定は撮影モードが２枚目の撮影時に同一である場合は合焦要否判定結果を合焦制御不要とすることを特徴とする請求項５記載の撮影方法を提供する。  
これにより、カメラ機能付きの折畳式携帯電話機は、選択した撮影モードを抜け出すまでは１枚目の撮影時に得た合焦値で２枚目以降の撮影を行うことができるので、第５の発明とほぼ同様の効果を得ることができる。
【００１２】
また、請求項７に記載の発明では、撮像指示を行う撮像指示入力手段と、撮像指示入力手段の第１のストローク操作により撮影時に自動合焦制御を行うオートフォーカス手段と、撮像指示入力手段の第２のストローク操作により撮影を行い、その画像データを生成する撮像手段と、生成した画像データを記録保存する画像記録手段と、撮影枚数が１枚目か否かの枚数判定情報と、１枚目の撮影から撮像指示入力手段の第２のストローク操作までの時間を計測する撮影間隔計測手段と、該撮像指示入力手段の第２のストローク操作時間を計測する操作時間計測手段と、枚数判定情報が１枚目の撮影を意味しているときは、第１のストローク操作によりオートフォーカス手段による自動合焦制御を行ってから撮像指示入力手段の第２のストローク操作により撮影を行うように撮像手段を制御し、枚数判定情報が２枚目の撮影を意味しているときは、撮像指示入力手段の第２のストローク操作があると、撮影間隔計測手段による撮影間隔の計測時間が所定時間内であって、かつ、操作時間計測手段による撮像指示入力手段の第２のストローク操作時間が所定の短時間内に行われた場合にのみ１枚目の撮影時に得た合焦値を用いて２枚目の撮影を行うように撮像手段を制御する撮影制御手段と、を備えたことを特徴とする撮像装置を提供する。  
これにより、撮像装置は、１枚目を撮影してから所定時間以内に撮像指示手段を一気（つまり、一定時間内にストローク操作すると改めてオートフォーカス制御することなしに１枚目の合焦値をそのまま用いて撮影することができるので、第１の発明と同様の効果を奏する。
【００１３】
また、請求項８に記載の発明では、撮像指示を行う撮像指示入力手段と、撮像指示入力手段の第１のストローク操作により撮影時に自動合焦制御を行うオートフォーカス手段と、撮像指示入力手段の第２のストローク操作により撮影を行い、その画像データを生成する撮像手段と、生成した画像データを記録保存する画像記録手段と、撮影枚数が１枚目か否かの枚数判定情報と、１枚目の撮影後、所定の合焦要否判定情報に基いて２枚目の撮影時の合焦要否判定を行う合焦要否判定手段と、撮像指示入力手段の第２のストローク操作時間を計測する操作時間計測手段と、枚数判定情報が１枚目の撮影を意味しているときは、第１のストローク操作によりオートフォーカス手段による自動合焦制御を行ってから撮像指示入力手段の第２のストローク操作により撮影を行うように撮像手段を制御し、枚数判定情報が２枚目以降の撮影を意味しているときは、撮像指示入力手段の第２のストローク操作があると、合焦要否判定手段に２枚目の撮影時の合焦要否判定を行わせ、合焦要否判定結果が合焦制御不要の場合であって、かつ該第２のストローク操作時間が所定の短時間内に行われた場合にのみ、１枚目の撮影時に得た合焦値を用いて２枚目の撮影を行うように撮像手段を制御する撮影制御手段と、を備えたことを特徴とする撮像装置を提供する。  
これにより、撮像装置は、１枚目を撮影してから行う合焦要否判定の結果が合焦制御不要を意味する場合は、撮像指示手段を一気にストローク操作すると改めてオートフォーカス制御することなしに１枚目の合焦値をそのまま用いて２枚目以降を撮影することができるので、第１の発明と同様の効果を奏する。
【００１４】
また、請求項９に記載の発明では、撮像指示入力手段の操作による撮像指示により、被写体を撮影してその画像データを生成する撮像手段と、生成した画像を記録するメモリと、被写体の撮影時に自動合焦を行うオートフォーカス機能とを備えたカメラ付き折畳式携帯電話機において、この携帯電話機の蓋の開開状態を検出する開閉検出手段と、撮像モードにおいて、撮像指示入力手段のストローク操作により自動合焦制御を行って合焦値を得た後、１枚目の撮影を行うよう撮像手段を制御し、１枚目の撮影後、この携帯電話機の蓋が開状態のときに撮像指示入力手段のストローク操作があると、１枚目の撮影時に得た合焦値を用いて２枚目の撮影を行うように撮像手段を制御する撮影制御手段と、を備えたことを特徴とするカメラ付き携帯電話機を提供する。  
これにより、カメラ機能付きの折畳式携帯電話機１００は、開閉検出部１２０からの開閉検出信号を調べることにより、蓋が開いている間は１枚目の撮影で得た合焦値等の撮影条件で２枚目以降の撮影を行うことができるので、「待ち受け」などＣＰＵがカメラ機能以外の動作を行う携帯電話機において、ＣＰＵの負担を伴うオートフォーカスを撮影のたびに行う必要がなくなるのでＣＰＵの負担を軽減できる。
【００１５】
また、請求項１０に記載の発明では、撮像指示入力手段の操作による撮像指示により、被写体を撮影してその画像データを生成する撮像手段と、生成した画像を記録するメモリと、被写体の撮影時に自動合焦を行うオートフォーカス機能とを備えたカメラ付き携帯電話機において、所定の合焦要否判定情報に基いて２枚目の撮影時の合焦要否判定を行う合焦要否判定手段と、撮像指示入力手段のストローク操作により自動合焦制御を行って合焦値を得た後、１枚目の撮影を行い、１枚目の撮影後、撮像指示入力手段のストローク操作があると、合焦要否判定手段に２枚目の撮影時の合焦要否判定を行わせ、合焦要否判定結果が合焦制御不要の場合に撮像指示入力手段のストローク操作により１枚目の撮影時に得た合焦値を用いて２枚目の撮影を行うように撮像手段を制御する撮影制御手段と、を備えたことを特徴とするカメラ付き携帯電話機を提供する。  
これにより、カメラ付き携帯電話機は、合焦要否判定情報の内容が変わらなければ１枚目の撮影時に得た合焦値等の撮影条件で２枚目以降の撮影を行うことができるので、オートフォーカスで、ある被写体を撮影したあとに同一の被写体又はその近くの被写体を撮影しようとする場合、いちいちオートフォーカス制御をするよりも素早く撮影ができるし良好な画質の写真を得ることができる。
【００１６】
また、請求項１１に記載の発明では、撮像指示を行う撮像指示入力手段と、撮像指示入力手段の第１のストローク操作により撮影時に自動合焦制御を行うオートフォーカス手段と、撮像指示入力手段の第２のストローク操作により撮影を行い、その画像データを生成する撮像手段と、生成した画像データを記録保存する画像記録手段とを備えた撮像装置において実行可能なプログラムであって、撮影枚数を１枚目に設定させるプログラムステップと、１枚目の撮影から撮像指示入力手段の第２のストローク操作までの時間を計測させるプログラムステップと、撮像指示入力手段の第２のストローク操作時間を計測させるプログラムステップと、撮影枚数が１枚目の場合に、第１のストローク操作があるとオートフォーカス手段に自動合焦制御を行わせるプログラムステップと、撮像手段に１枚目の撮影を行わせるプログラムステップと、１枚目の撮影後に撮影枚数を１枚目以降に設定させるプログラムステップと、撮影枚数が２枚目以上の場合に撮像指示入力手段の第２のストローク操作があると、１枚目の撮影から撮像指示入力手段の第２のストローク操作までの時間が所定時間内であって、かつ、撮像指示入力手段の第２のストローク操作時間が一定時間内に行われたか否かを判定させるプログラムステップと、判定結果が、１枚目の撮影から撮像指示入力手段の第２のストローク操作までの時間が所定時間内であって、かつ、撮像指示入力手段の第２のストローク操作時間が一定時間内に行われた場合にのみ撮像手段に１枚目の撮影時に得た合焦値を用いて２枚目の撮影を行わせるプログラムステップと、を備えたことを特徴とするプログラムを提供する。  
これにより、撮像装置において、１枚目を撮影してから所定時間以内に撮像指示手段を一気にストローク操作すると改めてオートフォーカス制御することなしに１枚目の合焦Ｆ値をそのまま用いて２枚目以降を撮影させることができる。
【００１７】
また、請求項１２に記載の発明では、撮像指示を行う撮像指示入力手段と、撮像指示入力手段の第１のストローク操作により撮影時に自動合焦制御を行うオートフォーカス手段と、撮像指示入力手段の第２のストローク操作により撮影を行い、その画像データを生成する撮像手段と、生成した画像データを記録保存する画像記録手段と、を備えた撮像装置において実行可能なプログラムであって、撮影枚数を１枚目に設定させるプログラムステップと、撮像指示入力手段の第２のストローク操作時間を計測させるプログラムステップと、撮影枚数が１枚目の場合に、第１のストローク操作があるとオートフォーカス手段に自動合焦制御を行わせるプログラムステップと、撮像手段に１枚目の撮影を行わせるプログラムステップと、１枚目の撮影後に撮影枚数を２枚目以降に設定させるプログラムステップと、撮影枚数が２枚目以上の場合に撮像指示入力手段の第２のストローク操作があると、所定の合焦要否判定情報に基いて２枚目の撮影時の合焦要否判定を行わせるプログラムステップと、合焦要否判定結果が合焦制御不要の場合であって、かつ該撮像指示入力手段の第２のストローク操作時間が一定時間内の場合にのみ撮像手段に１枚目の撮影時に得た合焦値を用いて２枚目の撮影を行わせるプログラムステップと、を備えたことを特徴とするプログラムを提供する。  
これにより、撮像装置において、１枚目を撮影してから行う合焦要否判定の結果が合焦制御不要を意味する場合は、撮像指示手段を一気にストローク操作すると改めてオートフォーカス制御することなしに１枚目の合焦値をそのまま用いて撮影させることができる。
【００１８】
また、請求項１３に記載の発明では、撮像指示入力手段のストローク操作による撮像指示により、被写体を撮影してその画像データを生成する撮像手段と、生成した画像を記録するメモリと、被写体の撮影時に自動合焦を行うオートフォーカス機能とを有する撮像装置を備えた折畳式携帯電話機において実行可能なプログラムであって、撮像モードにおいて、撮像指示入力手段のストローク操作があると、撮像手段に自動合焦を行わせるプログラムステップと、自動合焦後に１枚目の撮影を行わせるプログラムステップと、１枚目の撮影後、この携帯電話機の開閉状態を検出させるプログラムステップと、この携帯電話機が開状態のときは撮像指示入力手段のストローク操作があると、撮像手段に１枚目の撮影時に得た合焦値を用いて２枚目の撮影を行わせるプログラムステップと、を備えたことを特徴とするプログラムを提供する。  
これにより、カメラ機能付きの折畳式携帯電話機において、蓋が開いている間は１枚目の撮影で得た合焦値等の撮影条件で２枚目以降の撮影を行わせることができる。
【００１９】
また、請求項１４に記載の発明では、撮像指示入力手段の操作による撮像指示により、被写体を撮影してその画像データを生成する撮像手段と、生成した画像を記録するメモリと、被写体の撮影時に自動合焦を行うオートフォーカス機能とを有する撮像装置を備えた折畳式携帯電話機において実行可能なプログラムであって、所定の合焦要否判定情報に基いて２枚目の撮影時の合焦要否判定を行う合焦要否判定手段と、撮像指示入力手段のストローク操作があったとき撮像手段に自動合焦を行わせるプログラムステップと、自動合焦後に１枚目の撮影を行わせるプログラムステップと、１枚目の撮影後、撮像指示入力手段のストローク操作があると、２枚目の撮影時の合焦要否判定を行わせるプログラムステップと、合焦要否判定結果が合焦制御不要の場合に、撮像指示入力手段のストローク操作があると、撮像手段に１枚目の撮影時に得た合焦値を用いて２枚目の撮影を行わせるプログラムステップと、を備えたことを特徴とするプログラム。
を提供する。  
これにより、カメラ付き携帯電話機は、合焦要否判定情報の内容が変わらなければ１枚目の撮影時に得た合焦値等の撮影条件で２枚目以降の撮影を行うことができる。
【発明の効果】
【００２０】
本発明によれば、オートフォーカスである被写体を撮影したあとに同一の被写体又はその近くの被写体を撮影しようとする場合に、いちいちオートフォーカス制御をするよりも素早く撮影ができ良好な画質の写真を得ることができる。つまり、撮影した被写体の近くに生じたシャッターチャンスを逃さずにピントが合った写真を撮影することができる。
また、カメラ付き携帯電話機においても１枚目を撮影でオートフォーカス制御するだけで前回（つまり１枚目）の合焦値をそのまま用いて２枚目以降を撮影することができるので、「待ち受け」などＣＰＵがカメラ機能以外の動作を行う携帯電話機において、ＣＰＵの負担を伴うオートフォーカスを撮影のたびに行う必要がなくなり、ＣＰＵの負担を軽減できる。
【発明を実施するための最良の形態】
【００２１】
（実施形態１）  
以下、本発明をデジタルカメラに適用した場合の実施形態について説明する。本実施形態において、デジタルカメラは、オートフォーカスモードでの撮影時に、１枚目の撮影はオートフォーカスで行い、１枚目を撮影してから所定時間以内にシャッターキーを一気（つまり、一定時間内（極く短時間内））に全押しすると改めてオートフォーカス制御することなしに前回（つまり１枚目）のＡＦ値（合焦値）をそのまま用いて２枚目以降を撮影することができる。  
【００２２】
図１はデジタルカメラの外観構成の一例を示す図であり、ここでは主として前面及び上面の構成を示す。デジタルカメラ１は略矩形の薄板状金属外装ボディの前面に、撮影レンズ２、ストロボ発光部６を配設し、上面の（ユーザにとって）右側には電源キー８及びシャッターキー９を配している。
【００２３】
撮影レンズ２は、焦点距離を無段階に可変するズーム機能及びＡＦ機能を有し、電源オフ時及び基本モードである再生時にはボディ内に沈胴する。  
電源キー８は、電源のオン／オフ毎に操作するキーであり、シャッターキー９は撮影モード時に撮影タイミングを指示する撮影指示手段である。
【００２４】
また、ここでは図示しないが、デジタルカメラ１の背面にはモードスイッチ、メニューキー、十字キー、光学ファインダ、ストロボチャージランプ、及び表示部等を配している。さらに、底面には、記録媒体として用いるメモリーカードを着脱するためのメモリカードスロットや、外部のパーソナルコンピュータ等と接続するためのシリアルインターフェイスコネクタとして、例えばＵＳＢ（Universal Serial Bus）コネクタ等が設けられているものとする。
【００２５】
図２は上記デジタルカメラ１の電子回路構成の一実施例を示す図である。  
図２で、デジタルカメラ１は、基本モードである撮影モードにおいて合焦位置や絞り位置を移動させるモータ１１、撮影レンズ２を構成するレンズ光学系１２、撮像素子であるＣＣＤ１３、タイミング発生器（ＴＧ）１４、垂直ドライバ１５、サンプルホールド回路（Ｓ／Ｈ）１６、Ａ／Ｄ変換器１７、カラープロセス回路１８、ＤＭＡ（Direct Memory Access）コントローラ１９、ＤＲＡＭインターフェイス（Ｉ／Ｆ）２０、ＤＲＡＭ２１、制御部２２、ＶＲＡＭコントローラ２３、ＶＲＡＭ２４、デジタルビデオエンコーダ２５、表示部２６、ＪＰＥＧ回路２７、メモリカード２８、内蔵メモリ２９、キー入力部３０を備えている。  
なお、実施形態２（後述）で用いるようにカメラ１の動きを検出する動き検出部３１（例えば、加速度センサ）等のＡＦ要否判定情報取得手段を備えるようにしてもよい。
【００２６】
撮影モードでのモニタリング状態においては、モータ（Ｍ）１１の駆動により合焦位置や絞り位置が移動され、上記撮影レンズ１を構成する光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１画面分出力する。
【００２７】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画像補間処理及びγ補正処理を含むカラープロセス処理が行われて、デジタル値の輝度信号Ｙ及び色差信号Ｃｂ、Ｃｒが生成され、ＤＭＡ（Direct Memory  Access）コントローラ１９に出力される。
【００２８】
ＤＭＡコントローラ１９は、カラープロセス回路１８の出力する輝度信号Ｙ及び色差信号Ｃｂ、Ｃｒを、同じくカラープロセス回路１８からの複合（composite）同期信号、メモリ書き込みイネーブル信号、及びクロック信号を用いて一度ＤＲＭＡインターフェイス（Ｉ／Ｆ）２０を介してバッファメモリとして使用されるＤＲＡＭ２１にＤＭＡ転送する。
【００２９】
制御部２２は、ＣＰＵと、後述するように撮影モード時のシャッターキー９の操作に対する処理を含む該ＣＰＵで実行される動作プログラムを固定的に記憶したＲＯＭ、及びワークメモリとして使用されるＲＡＭ等により構成され、このデジタルカメラ１全体の制御動作を司るものであり、上記輝度及び色差信号のＤＲＡＭ２１へのＤＭＡ転送終了後に、この輝度及び色差信号をＤＲＭＡインターフェイス２０を介してＤＲＡＭ２１から読出し、ＶＲＡＭコントローラ２３を介してＶＲＡＭ２４に書込む。
【００３０】
デジタルビデオエンコーダ２５は、上記輝度及び色差信号をＶＲＡＭコントローラ２３を介してＶＲＡＭ２４から定期的に読み出し、これらのデータを基にビデオ信号を生成して上記表示部２６に出力する。
【００３１】
表示部２６は、上述したように撮影モード時にはモニタ表示部（電子ファインダ）として機能するもので、デジタルビデオエンコーダ２５からのビデオ信号に基づいた表示を行うことで、その時点でＶＲＡＭコントローラ２３から取込んでいる画像情報に基づく画像をリアルタイムに表示することになる。  
このように表示部２６にその時点での画像がモニタ画像としてリアルタイムに表示されているいわゆるスルー画像の表示状態で、静止画像表示を行いたいタイミングでキー入力部３０を構成する上記シャッターキー９を操作するとトリガ信号を発生する。
【００３２】
制御部２２はこのトリガ信号に応じてその時点でＣＣＤ１３から取込んでいる１画面分の輝度及び色差信号のＤＲＡＭ２１へのＤＭＡ転送の終了後、直ちにＣＣＤ１３からのＤＲＡＭ２１への経路を停止し、記録保存の状態に遷移する。
【００３３】
この保存記録の状態では、制御部２２がＤＲＡＭ２１に書込まれている１フレーム分の輝度及び色差信号をＤＲＡＭインターフェイス２０を介してＹ、Ｃｂ、Ｃｒの各コンポーネント毎に縦８画素×横８画素の基本ブロックと呼称される単位で読み出してＪＰＥＧ（Joint Photograph cording Experts Group）回路２７に書込み、このＪＰＥＧ回路２７でＡＤＣＴ（Adaptive Discrete Cosine Transform：適応離散コサイン変換）、エントロピ符号化方式であるハフマン符号化等の処理によりデータ圧縮する。
そして得た符号データを１画像のデータファイルとしてＪＰＥＧ回路２７から読出し、デジタルカメラ１の記録媒体として着脱自在に装着されるメモリカード２８か内蔵メモリ２９のいずれか一方に記録保存する。  
そして１フレーム分の輝度及び色差信号の圧縮処理及びメモリカード２８または内蔵メモリ２９への全圧縮データの書込み終了に伴って、制御部２２はＣＣＤ１３からＤＲＡＭ２１への経路を再び起動する。                         
【００３４】
キー入力部３０は、上述した電源キー８、シャッターキー９や、モードスイッチ、メニューキー、及びカーソルキー及びセットキー等から構成され、それらのキー操作に伴う信号は直接制御部２２に送出される。ストロボ駆動部３２は、静止画像撮影時に図示しないストロボ用の大容量コンデンサを充電した上で、制御部２２の制御によりストロボ閃光部６を閃光起動させる。
【００３５】
また、動画像の撮影時には、シャッターキー９が操作されつづけている間、上述した静止画像データをＪＰＥＧ回路２７でデータ圧縮した静止画データファイルのメモリカード２８又は内蔵メモリ２９への記録を時間的に連続して実行し、シャッターキー９の操作の操作が終わるか所定時間（例えば、３０秒）を経過した時点でそれら一連の画像データファイルを一括して動画ＪＰＥＧのデータファイル（ＡＶＩ）ファイルとして設定し直す。
【００３６】
また、基本モードである再生モード時には、制御部２２がメモリカード２８又は内蔵メモリ２９に記録されている画像データを選択的に読出し、ＪＰＥＧ回路２７で画像撮影モード時にデータ圧縮した手順とまったく逆の手順で圧縮されている画像データを伸張し、伸張した画像データをＶＲＡＭコントローラ２３を介してＶＲＡＭ２４に展開して記憶させた上で、このＶＲＡＭ２４から定期的に読出し、これらの画像データを元にビデオ信号を生成して表示部２６で再生出力させる。
【００３７】
図３は撮影モード時におけるデジタルカメラの動作例を示すフローチャートである。以下に示す処理は基本的に制御部２２が予め固定記憶したプログラムに従って実行するものである。また、本実施形態ではシャッターキー９が２段階のストローク操作で動作し、基本的な動作として第１段階のストローク操作、つまり、シャッターキー９の「半押し」状態でＡＦ動作を実行して合焦状態と露出状態をロックし、その後の第２段階のストローク操作、つまり、シャッターキー９の「全押し」状態でロックした合焦状態及び露出状態による撮影を行う。１回目を撮ってから所定時間以内にユーザがシャッターキー９を一気に「全押し」すると前回の撮影でのＡＦ値による合焦状態及び露出状態による撮影を行うものとする。なお、例えばＤＲＡＭ２１内に設けられる内部カウンタｔ１、ｔ２の値は予めユーザが任意に設定できるように構成することが望ましい。
【００３８】
図３で、デジタルカメラ１の電源が投入されると、制御部２２は、先ず、撮影枚数をカウントする。例えばＤＲＡＭ２１内に設けられる内部カウンタＫの値を１に、内部カウンタｔ１、ｔ２の値を０に設定してから（ステップＳ１）、その時点で選択されている撮影レンズ２のズーム位置に対応した焦点距離でＡＥ処理を実行し、適正露出値を得て絞り値及びシャッター速度を設定する（ステップＳ２）。
【００３９】
次に、設定したシャッター速度がこのモニタ状態のフレームレートに対応した値、例えばフレームレートが３０フレーム／秒であれば、３０分の１秒を十分超える高い速度となるように調整してＣＣＤ１３から画像データを得ると共に自動ホワイトバランス（ＡＷＢ）処理により光源の色速度に対応したホワイトバランスになるようにカラープロセス回路１８で調整を施した上で（ステップＳ３）、表示部２６にスルー画像を表示しながら（ステップＳ４）、撮影回数カウンタＫの値が２以上か否かを調べ、Ｋ＝１のときはステップＳ６に進みＫ≧２の場合はステップＳ８に進む（ステップＳ５）。
【００４０】
Ｋ＝１の場合は、制御部２２はキー入力部３０のシャッターキー９が半押しされたか否かを調べ、シャッターキー９が半押しされた場合はステップＳ７に進み、そうでない場合はステップＳ２に戻る（ステップＳ６）。
【００４１】
シャッターキー９が半押しされた場合は、所定のフォーカスエリアにピントが合うようにＡＦ処理を行って合焦位置をロックする。また、このとき同時に、直前のステップＳ２でのＡＥ処理で取得した絞り値とシャッター速度をロックする。また、これらの撮影条件（合焦位置、適正露出値、絞り値及びシャッター速度等）はＲＡＭに保持（一時記憶）する（ステップＳ７）。また、シャッターキー９の全押し時間を計測する内部カウンタｔ１のカウント動作を開始する（ステップＳ８）。
【００４２】
制御部２２は、上記のように撮影条件をロックした状態から、更にシャッターキー９が全押し操作されたか否か、シャッターキー９が半押しされたか否かを調べ、シャッターキー９が半押しされた場合はステップＳ１０に進み、全押しされた場合はステップＳ１１に進む（ステップＳ９）。
【００４３】
シャッターキー９が半押しされた場合は、合焦位置、絞り値、及びシャッター速度のロックを解除すると共に、撮影枚数をカウントする内部カウンタＫの値を１に、内部カウンタｔ１、ｔ２の値を０に設定しなおしてステップＳ２に戻る（ステップＳ１０）。
【００４４】
また、シャッターキー９が全押しされた場合は、前回の撮影（つまり、ステップＳ１４の記録処理）から今回の撮影指示（シャッターキー９の全押し）までの時間をカウントする内部カウンタｔ２の値を調べ、ｔ２の値が所定時間（例えば、１０秒）以内であるか否かを判定し、所定時間内の場合はステップＳ１２に進み、所定時間を超えた場合はステップＳ１７に進む（ステップＳ１１）。
【００４５】
内部カウンタｔ２の値が所定時間以内の場合は、制御部２２は、シャッターキー９が一気に全押しされたか否か、つまり、内部カウンタｔ１の値が一定のカウント値以下（極短い時間（例えば、０．５秒）に相当するカウント値以下）でシャッターキー９が押されたかを調べ、一定のカウント値以下でシャッターキー９が全押しされた場合はステップＳ１３に進み、一定値を超えた場合はステップＳ１７に進む（ステップＳ１２）。
【００４６】
シャッターキー９が一気に全押しされた場合は、制御部２２は上記ステップＳ７でＲＡＭに保持した撮影条件、つまり、１枚目の撮影で取得したＡＦ値に基く合焦状態及び露出状態により撮影を行い、光学系１２、ＣＣＤ１３〜カラープロセス回路１８〜ＤＲＡＭインターフェイス２０を介して画像データをＤＲＡＭ２１に取り込み（ステップＳ１３）、取り込んだ画像データにデータ圧縮処理を施してファイル化してメモリーカード２８又は内蔵メモリ２９に記録保存する（ステップＳ１４）。
【００４７】
次に、制御部２２はユーザが撮影終了操作を行ったか否かを調べ、撮影終了操作が行われた場合は撮影処理を終了し、そうでない場合はステップＳ１６に進み（ステップＳ１５）、次の被写体の撮影準備を行うために、今回の撮影（つまり、ステップＳ１４の記録処理）から次回の撮影指示（シャッターキー９の全押し）時間をカウントする内部カウンタｔ２をゼロクリアしてからカウントを開始すると共に、内部カウンタｔ１の値を０に設定し、撮影枚数をカウントする内部カウンタＫに１を加えてからステップＳ２に戻る（ステップＳ１６）。
【００４８】
シャッターキー９の全押しが一定時間を超えた場合は、制御部２２は、今回のＡＦ処理で取得したＡＦ値に基く合焦状態及び露出状態により撮影を行い、光学系１２、ＣＣＤ１３〜カラープロセス回路１８〜ＤＲＡＭインターフェイス２０を介して画像データをＤＲＡＭ２１に取り込み（ステップＳ１７）、取り込んだ画像データにデータ圧縮処理を施してファイル化してメモリカード２８又は内蔵メモリ２９に記録保存し（ステップＳ１８）、次の被写体の撮影準備を行うために、合焦位置、絞り値、及びシャッター速度のロックを解除すると共に、内部カウンタＫに１を加え、内部カウンタｔ１をゼロクリアしてから今回の撮影から次回の撮影指示までの時間をカウントする内部カウンタｔ２のカウントを開始してステップＳ２に戻る（ステップＳ１９）。
【００４９】
上記図３のフローチャートに示す動作により、デジタルカメラ１はオートフォーカスモードで１枚目を撮影してからユーザがシャッターキー９を一気に全押すると１枚目の撮影時のＡＦ値等の撮影条件で２枚目の撮影を行うことができるので、オートフォーカスで、ある被写体を撮影したあとに同一の被写体又はその近くの被写体を撮影しようとする場合、例えば、子供が何人か並んでいて順番に撮っていくような場合に、オートフォーカスを行うことなく直前のＡＦ撮影データをそのまま用いて撮影でき、いちいちオートフォーカス制御をするよりも素早く撮影ができるし良好な画質の写真を得ることができる。つまり、オートフォーカスモードを選択している状態で、１枚目の撮影が終わった後に、撮影した被写体の近くに生じたシャッターチャンスを逃さずにピントが合った写真を撮影することができる。
【００５０】
また、２枚目をオートフォーカスなしで直前のＡＦ撮影データをそのまま用いて撮影したあと、所定時間内ｔ２にシャッターキー９の全押しが一気に行われた場合にのみ３枚目をオートフォーカスなしで直前のＡＦ撮影データをそのまま用いて撮影できる。４枚目以降も同様である。すなわち、画質という観点からは毎回正確にオートフォーカスしたほうが当然きれいであるが、続けざまに撮りまくるような場合、オートフォーカス処理が終わりきらず中途半端なピントで撮影するよりはかえってきれいな（＝ピントが合った）画像を取ることができる。
【００５１】
なお、上記本実施形態の撮影方法は、１枚目を撮ってから所定時間内ｔ２にシャッターキー９の全押しが一気に行われた場合にのみ２枚目をオートフォーカスなしで直前のＡＦ撮影データをそのまま用いて撮影するので、最初にオートフォーカスをした後、そのＡＦ値のまま複数撮影する連写とは異なる撮影方法である。
【００５２】
（実施形態２）  
上記実施形態１ではシャッターキー９の半押しでオートフォーカスを行って１枚目を撮影したときからシャッターキー９の全押しまでの時間により、２枚目を１枚目のＡＦ値等の撮影条件で撮影するか否かを決定（図３のステップＳ１１参照）したが、２枚目を１枚目のＡＦ値等の撮影条件で撮影するか否かを決定する方法は実施形態１の方法に限定されない。  
つまり、デジタルカメラ１にＡＦ要否判定情報取得手段（例えば、図２に示したようなカメラ本体の動きを検出する動き検出部３１）を設け、１枚目の撮影直後にＡＦ要否判定情報取得手段によって得られたＡＦ要否判定情報を保持し、２枚目の撮影時にシャッターキー９が全押しされた場合にＡＦ要否判定情報取得手段で得た今回のＡＦ要否判定情報と１枚目の撮影直後に保持したＡＦ要否判定情報とを比較して２枚目を１枚目のＡＦ値等の撮影条件で撮影するか否かを決定することができる。  
以下、本実施形態の説明で、カメラの外観図は図１のデジタルカメラ１と同様とし、カメラの電子回路構成例は図２のデジタルカメラ１にカメラ本体の動きを検出する動き検出部３１を加えた構成とし、同一の構成要素については符号も同一とする。
【００５３】
本実施形態では、２枚目の撮影時にシャッターキー９が全押しされた場合に動き検出部３１で得たカメラの位置情報と１枚目の撮影直後に保持したカメラの位置情報と比較して２枚目を１枚目の撮影時に行ったオートフォーカスで得たＡＦ値等の撮影条件で撮影するか否かを決定する例について説明すると共に、動き検出部３１以外のＡＦ要否判定情報取得手段によって２枚目を１枚目のＡＦ値等の撮影条件で撮影するか否かを決定するいくつかの例を変形例として説明する。
【００５４】
図４は撮影モード時におけるデジタルカメラの動作例を示すフローチャートである。以下に示す処理は基本的に制御部２２が予め固定記憶したプログラムに従って実行するものである。また、本実施形態では図２の破線枠で示した動き検出部３１を上述のＡＦ要否判定情報取得手段として用いるものとする。動き検出部３１としては例えば加速度センサーを用いることができる。また、電子的な検出方法、例えば、背景画像の比較による動き検出等を行うようにしてもよい。
【００５５】
また、シャッターキー９は２段階のストローク操作で動作し、基本的な動作として第１段階のストローク操作、つまり、シャッターキー９の「半押し」状態でＡＦ動作を実行して合焦状態と露出状態をロックし、その後の第２段階のストローク操作、つまり、シャッターキー９の「全押し」状態でロックした合焦状態及び露出状態による撮影を行い、動き検出部３１で得たカメラの位置情報と１枚目の撮影直後に保持したカメラの位置情報と比較して２枚目を１枚目のＡＦ値等の撮影条件で撮影すると決定した場合にシャッターキー９が一気に「全押し」されると前回の撮影でのＡＦ値による合焦状態及び露出状態による撮影を行うものとする。なお、内部カウンタｔの値は予めユーザが任意に設定できるように構成することが望ましい。
【００５６】
図４で、デジタルカメラ１の電源が投入されると、制御部２２は、先ず、撮影枚数をカウントする内部カウンタＫの値を１に、内部カウンタｔの値を０に設定してから（ステップＴ１）、その時点で選択されている撮影レンズ２のズーム位置に対応した焦点距離でＡＥ処理を実行し、適正露出値を得て絞り値及びシャッター速度を設定する（ステップＴ２）。
【００５７】
次に、設定したシャッター速度がこのモニタ状態のフレームレートに対応した値、例えばフレームレートが３０フレーム／秒であれば、３０分の１秒を十分超える高い速度となるように調整してＣＣＤ１３から画像データを得ると共に自動ホワイトバランス（ＡＷＢ）処理により光源の色速度に対応したホワイトバランスになるようにカラープロセス回路１８で調整を施した上で（ステップＴ３）、表示部２６にスルー画像を表示しながら（ステップＴ４）、撮影回数カウンタＫの値が２以上か否かを調べ、Ｋ＝１のときはステップＴ６に進みＫ≧２の場合はステップＴ８に進む（ステップＴ５）。
【００５８】
Ｋ＝１の場合は、制御部２２はキー入力部３０のシャッターキー９が半押しされたか否かを調べ、シャッターキー９が半押しされた場合はステップＴ７に進み、そうでない場合はステップＴ２に戻る（ステップＴ６）。
【００５９】
シャッターキー９が半押しされた場合は、所定のフォーカスエリアにピントが合うようにＡＦ処理を行って合焦位置をロックする。また、このとき同時に、直前のステップＴ２でのＡＥ処理で取得した絞り値とシャッター速度をロックする。また、これらの撮影条件（合焦位置、適正露出値、絞り値及びシャッター速度等）はＲＡＭに保持（一時記憶）する（ステップＴ７）。また、シャッターキー９の全押し時間を計測する内部カウンタｔのカウント動作を開始する（ステップＴ８）。
【００６０】
制御部２２は、上記のように撮影条件をロックした状態から、更にシャッターキー９が全押し操作されたか否か、シャッターキー９が半押しされたか否かを調べ、シャッターキー９が半押しされた場合はステップＴ１０に進み、全押しされた場合はステップＴ１１に進む（ステップＴ９）
【００６１】
シャッターキー９が半押しされた場合は、合焦位置、絞り値、及びシャッター速度のロックを解除すると共に、撮影枚数をカウントする内部カウンタＫの値を１に、内部カウンタｔの値を０に設定し直してステップＴ２に戻る（ステップＴ１０）。
【００６２】
また、シャッターキー９が全押しされた場合は、制御部２２はＡＦ要否判定を行う。つまり、動き検出部３１で得たカメラ１の位置情報と１枚目の撮影直後に保持したカメラ１の位置情報からカメラ１の位置の差を調べ、カメラ１の位置の差の絶対値が所定の閾値以下である場合は２枚目を１枚目のＡＦ値等の撮影条件で撮影するためにステップＴ１３に進み、位置の差の絶対値が所定の閾値を超える場合はステップＴ１７に進む（ステップＴ１１）。
【００６３】
カメラ１の位置の差の絶対値が所定の閾値以下である場合は、制御部２は、シャッターキー９が一気に全押しされたか否か、つまり、内部カウンタｔ１の値が一定のカウント値以下（極短い時間（例えば、０．５秒）に相当するカウント値以下）でシャッターキー９が押されたかを調べ、一定のカウント値以下でシャッターキー９が全押しされた場合はステップＴ１３に進み、一定値を超えた場合はステップＴ１７に進む（ステップＴ１２）。
【００６４】
上記ステップＴ１２でシャッターキー９が一定のカウント値以下で全押しされた場合、つまり、ユーザが１枚目を撮影してからカメラが殆ど動いていない間にシャッターキー９を一気に全押しすると、制御部２２は、上記ステップＴ７でＲＡＭに保持した撮影条件、すなわち、１枚目の撮影で取得したＡＦ値に基く合焦状態及び露出状態により撮影を行い、光学系１２、ＣＣＤ１３〜カラープロセス回路１８〜ＤＲＡＭインターフェイス２０を介して画像データをＤＲＡＭ２１に取り込み（ステップＴ１３）、取り込んだ画像データにデータ圧縮処理を施してファイル化してメモリカード２８又は内蔵メモリ２９に記録保存する（ステップＴ１４）。
【００６５】
次に、制御部２２はユーザが撮影終了操作を行ったか否かを調べ、撮影終了操作が行われた場合は撮影処理を終了し、そうでない場合はステップＴ１６に進み（ステップＴ１５）、次の被写体の撮影準備を行うために、撮影枚数をカウントする内部カウンタＫに１を加えると共に内部カウンタｔの値を０に設定してからステップＴ２に戻る（ステップＴ１６）。
【００６６】
シャッターキー９の全押しが一定時間を超えた場合は、制御部２２は、今回のＡＦ処理（ステップＴ７）で取得したＡＦ値に基く合焦状態及び露出状態により撮影を行い、光学系１２、ＣＣＤ１３〜カラープロセス回路１８〜ＤＲＡＭインターフェイス２０を介して画像データをＤＲＡＭ２１に取り込み（ステップＴ１７）、取り込んだ画像データにデータ圧縮処理を施してファイル化してメモリカード２８又は内蔵メモリ２９に記録保存し（ステップＴ１８）、次の被写体の撮影準備を行うために、合焦位置、絞り値、及びシャッター速度のロックを解除すると共に、内部カウンタＫに１を加え、内部カウンタｔをゼロクリアしてから動き検出部３１で検出するカメラ１の現在位置情報をＡＦ要否判定情報としてＲＡＭに保持し、ステップＴ２に戻る（ステップＴ１９）。
【００６７】
上記図４のフローチャートに示す動作により、デジタルカメラ１は、ユーザがシャッターキー９を半押ししてオートフォーカスで１枚目を撮影してからシャッターキー９を一気に全押すると１枚目の撮影条件で２枚目の撮影を行うことができ、実施形態１の場合と同様の効果を得ることができる。
【００６８】
(変形例)
以下、動き検出部３１以外のＡＦ要否判定情報取得手段によって２枚目を１枚目のＡＦ値等の撮影条件で撮影するか否かを決定するいくつかの例について説明する。
＜変形例1＞  
ズームが変更されていない場合は、被写体との距離が変わっていないとみなし、１枚目の撮影直後にズーム値を保持し、２枚目の撮影時にシャッターキー９が全押しされた場合に今回のズーム値と１枚目の撮影直後に保持したズーム値とを比較して２枚目を１枚目のＡＦ値等の撮影条件で撮影するか否かを決定することができる。
【００６９】
つまり、図４のフローチャートのステップＴ１９を、「次の被写体の撮影準備を行うために、合焦位置、絞り値、及びシャッター速度のロックを解除すると共に、内部カウンタＫに１を加え、内部カウンタｔをゼロクリアしてから、撮影時のズーム値をＡＦ要否判定情報としてＲＡＭに保持し、ステップＴ２に戻る」ように構成し、ステップＴ１１を、「シャッターキー９が一定のカウント値以下で全押しされた場合は、制御部２２はＡＦ要否判定を行う。つまり、今回のズーム値と１枚目の撮影直後にＲＡＭに保持したズーム値を比較し、ズーム値が同じ場合は２枚目を１枚目のＡＦ値等の撮影条件で撮影するためにステップＴ１３に進み、ズーム値が異なる場合はステップＴ１７に進む」ように構成すればよい。なお、この場合、ＡＦ要否判定情報取得手段には制御部２２が相当するので、デジタルカメラ１に（動き検出手段３１のような）検出手段を設けなくてもよい。  
このように構成することにより、デジタルカメラ１は、ユーザがシャッターキー９を半押ししてオートフォーカスし、シャッターキー９の全押しで１枚目を撮影してからシャッターキー９を一気に全押すると１枚目の撮影時に得たＡＦ値等の撮影条件で２枚目の撮影を行うことができ、ズーム値が変わらない場合は被写体との距離がほぼ同じとみなせることから、実施形態１の場合とほぼ同様の効果を得ることができる。
【００７０】
＜変形例２＞  
フォーカスエリア内の画像の変化が閾値内の場合は、被写体との距離がほぼ同じとみなし、１枚目の撮影直後にフォーカスエリア内の画像データを保持し、２枚目の撮影時にシャッターキー９が全押しされた場合にフォーカスエリア内の今回の画像データと１枚目の撮影直後に保持した画像データとを比較して２枚目を１枚目のＡＦ値等の撮影条件で撮影するか否かを決定することができる。
【００７１】
つまり、図２のデジタルカメラ１の構成で、動き検出部３１の代わりにフォーカスエリア内の画像データを取り出す画像取得部を設け、図４のフローチャートのステップＴ１９を、「次の被写体の撮影準備を行うために、合焦位置、絞り値、及びシャッター速度のロックを解除すると共に、内部カウンタＫに１を加え、内部カウンタｔをゼロクリアしてから、画像取得部が取得した撮影時のフォーカスエリア内の画像データをＡＦ要否判定情報としてＲＡＭに保持し、ステップＴ２に戻る」ように構成し、ステップＴ１１を、「シャッターキー９が全押しされた場合は、制御部２２はＡＦ要否判定を行う。つまり、画像取得部で取得している今回のフォーカスエリア内の画像の画像データと１枚目の撮影直後にＲＡＭに保持したフォーカスエリア内の画像の画像データを比較し、画像の変化の大きさが所定の閾値以内の場合は２枚目を１枚目のＡＦ値等の撮影条件で撮影するためにステップＴ１３に進み、画像の変化の大きさが所定の閾値を超える場合はステップＴ１７に進む」ように構成すればよい。なお、フォーカスエリア内の画像の比較は公知の画像比較技術を用いて行うことができる。  
このように構成することにより、デジタルカメラ１は、ユーザがシャッターキー９を半押ししてオートフォーカスで１枚目を撮影してからシャッターキー９を一気に全押すると１枚目の撮影時に得たＡＦ値等の撮影条件で２枚目の撮影を行うことができ、フォーカスエリア内の画像の変化があまり大きくない場合は被写体との距離がほぼ同じとみなせることから、実施形態１の場合とほぼ同様の効果を得ることができる。
【００７２】
＜変形例３＞  
フォーカスエリア枠周辺の画像（周辺画像）の変化の大きささが閾値内の場合は、被写体との距離がほぼ同じとみなし、１枚目の撮影直後に周辺画像の画像データ（周辺画像データ）を保持し、２枚目の撮影時にシャッターキー９が全押しされた場合に今回の周辺画像データと１枚目の撮影直後に保持した周辺画像データとを比較して２枚目を１枚目のＡＦ値等の撮影条件で撮影するか否かを決定することができる。  
【００７３】
つまり、図２のデジタルカメラ１の構成で、動き検出部３１の代わりに周辺画像データを取り出す画像取得部を設け、図４のフローチャートのステップＴ１９を、「次の被写体の撮影準備を行うために、合焦位置、絞り値、及びシャッター速度のロックを解除すると共に、内部カウンタＫに１を加え、内部カウンタｔをゼロクリアしてから、画像取得部が取得した撮影時の周辺画像データをＡＦ要否判定情報としてＲＡＭに保持し、ステップＴ２に戻る」ように構成し、ステップＴ１１を、「シャッターキー９が全押しされた場合は、制御部２２はＡＦ要否判定を行う。つまり、画像取得部で取得している今回の周辺画像データと１枚目の撮影直後にＲＡＭに保持した周辺画像データを比較し、周辺画像の変化の大きさが所定の閾値以内の場合は２枚目を１枚目のＡＦ値等の撮影条件で撮影するためにステップＴ１３に進み、周辺画像の変化の大きさが所定の閾値を超える場合はステップＴ１７に進む」ように構成すればよい。なお、周辺画像の比較は上述した変形例２と同様公知の画像比較技術を用いて行うことができる。  
このように構成することにより、デジタルカメラ１は、ユーザがシャッターキー９を半押ししてオートフォーカスで１枚目を撮影してからシャッターキー９を一気に全押すると１枚目の撮影時に得たＡＦ値等の撮影条件で２枚目の撮影を行うことができ、周辺画像の変化があまり大きくない場合は被写体との距離がほぼ同じとみなせることから、実施形態１の場合とほぼ同様の効果を得ることができる。
【００７４】
＜変形例４＞  
１枚目の撮影開始時にユーザが設定した撮影モードが変更されていない場合は、２枚目の撮影条件も同じでよいとみなし、１枚目の撮影直後に撮影モードを保持し、２枚目の撮影時にシャッターキー９が全押しされた場合に今回の撮影モードと１枚目の撮影直後に保持した撮影モードとを比較して２枚目を１枚目のＡＦ値等の撮影条件で撮影するか否かを決定するようにしてもよい。  
【００７５】
つまり、図４のフローチャートのステップＴ１９を、「次の被写体の撮影準備を行うために、合焦位置、絞り値、及びシャッター速度のロックを解除すると共に、内部カウンタＫに１を加え、内部カウンタｔをゼロクリアしてから、撮影モードをＡＦ要否判定情報としてＲＡＭに保持し、ステップＴ２に戻る」ように構成し、ステップＴ１１を、「シャッターキー９が全押しされた場合は、制御部２２はＡＦ要否判定を行う。つまり、今回の撮影モードと１枚目の撮影直後にＲＡＭに保持した撮影モードを比較し、モードが同じ場合は２枚目を１枚目のＡＦ値等の撮影条件で撮影するためにステップＴ１３に進み、撮影モードが異なる場合はステップＴ１７に進む」ように構成すればよい。なお、この場合、ＡＦ要否判定情報取得手段には制御部２２が相当するので、デジタルカメラ１に（動き検出手段３１のような）検出手段を設けなくてもよい。  
このように構成することにより、デジタルカメラ１は、ユーザがシャッターキー９を半押ししてオートフォーカスで１枚目を撮影してからシャッターキー９を一気に全押すると１枚目の撮影時に得たＡＦ値等の撮影条件で２枚目の撮影を行うことができる。
【００７６】
＜変形例５＞  
１枚目の撮影開始時に表示するメニューの中に”２枚目はＡＦしない”ことを意味するメニューを表示し、ユーザがこのメニューを選択した場合には、２枚目の撮影時にシャッターキー９が全押しされると２枚目を１枚目のＡＦ値等の撮影条件で撮影するように構成してもよい。
【００７７】
つまり、図４のフローチャートのステップＴ１９を、「次の被写体の撮影準備を行うために、合焦位置、絞り値、及びシャッター速度のロックを解除すると共に、内部カウンタＫに１を加え、内部カウンタｔをゼロクリアしてからステップＴ２に戻る」ように構成し、ステップＴ１１を、「シャッターキー９が全押しされた場合は、制御部２２はＡＦ要否判定を行う。つまり、”２枚目はＡＦしない”ことを意味するメニューが選択されているか否かを調べ、選択されている場合は２枚目を１枚目のＡＦ値等の撮影条件で撮影するためにステップＴ１３に進み、選択されていない場合はステップＴ１７に進む」ように構成すればよい。なお、この場合、ＡＦ要否判定情報取得手段には制御部２２が相当するので、デジタルカメラ１に（動き検出手段３１のような）検出手段を設けなくてもよい。  
このように構成することにより、デジタルカメラ１は、ユーザがシャッターキー９を半押ししてオートフォーカスで１枚目を撮影してからシャッターキー９を一気に全押すると１枚目の撮影時に得たＡＦ値等の撮影条件で２枚目の撮影を行うことができる。
【００７８】
＜変形例６＞  
”同じ距離の被写体を撮る”という機能をベストショット（後述）の１シーンとし、１枚目の撮影開始時にユーザがベストショットモードを選択し、ベストショット選択メニューの中に”同じ距離の被写体を撮る”シーンのメニューを表示し、ユーザがこのメニューを選択した場合には、２枚目の撮影時にシャッターキー９が全押しされると２枚目を１枚目のＡＦ値等の撮影条件で撮影するように構成してもよい。ここで、ベストショットモードとは、風景、夕日、花火、人物、・・等のサンプルを表示し、各サンプルに最適撮影条件（例えば、シャッタースピード、露出、ホワイトバランス等・・）をセットとして対応付けユーザがサンプルを選択すると対応する最適撮影条件を撮影条件として自動設定して撮影できるというものである。すなわち、ベストショットモードは撮影条件設定の集合セットである。
【００７９】
つまり、図４のフローチャートのステップＴ１９を、「次の被写体の撮影準備を行うために、合焦位置、絞り値、及びシャッター速度のロックを解除すると共に、内部カウンタＫに１を加え、内部カウンタｔをゼロクリアしてからステップＴ２に戻る」ように構成し、ステップＴ１１を、「シャッターキー９が全押しされた場合は、制御部２２はＡＦ要否判定を行う。つまり、”同じ距離の被写体を撮る”というベストショットのシーンが選択されているか否かを調べ、選択されている場合は２枚目を１枚目のＡＦ値等の撮影条件で撮影するためにステップＴ１３に進み、選択されていない場合はステップＴ１７に進む」ように構成すればよい。なお、この場合、ＡＦ要否判定情報取得手段には制御部２２が相当するので、デジタルカメラ１に（動き検出手段３１のような）検出手段を設けなくてもよい。
このように構成することにより、ある被写体を撮影したあとに同一の被写体又はその近くの被写体を撮影しようとする場合、ユーザがベストショットモードで”同じ距離の被写体を撮る”シーンを選択すれば、デジタルカメラ１はベストショットモードで、ユーザがシャッターキー９を半押ししてオートフォーカスで１枚目を撮影してからシャッターキー９を一気に全押すると１枚目の撮影時に得たＡＦ値等の撮影条件で２枚目の撮影を行うことができる。
【００８０】
また、上記実施形態１、実施形態２及び各変形例における、２枚目を１枚目のＡＦ値等の撮影条件で撮影するか否かを決定する条件を組み合わせるようにしてもよい。  
つまり、実施形態１では１枚目の撮影終了から２枚目のシャッターキー９の全押しまでの時間の長短、実施形態ではカメラ本体の動きの大小、変形例１ではズーム変動の有無、変形例２ではフォーカスエリア内の画像の変化の程度、変形例３ではフォーカスエリア枠周辺の画像の変化の程度、変形例４では撮影モードの変動の有無、変形例５では”２枚目はＡＦしない”機能の選択の有無、変形例６ではベストショットモードの”同じ距離の被写体を撮る”シーン選択の有無、を２枚目を１枚目のＡＦ値等の撮影条件で撮影するか否かを決定する条件としているが、これらを適宜組み合わせて２枚目を１枚目のＡＦ値等の撮影条件で撮影するようにしてもよい。
【００８１】
（実施形態３）  
以下、本発明をカメラ機能付きの折畳式携帯電話機に適用した場合の実施形態について説明する。本実施形態では、撮影モードにおいて、シャッターキー１０７を押すとＡＦ動作を実行して合焦状態と露出状態をロックして撮影を行い、２枚目以降については携帯電話機１００の蓋部１０２が閉状態になるまでシャッターキー１０７が押されるたびに１枚目のＡＦ値による合焦状態及び露出状態による撮影を行う例について説明すると共に、携帯電話機１００の所定の状態により２枚目を１枚目のＡＦ値等の撮影条件で撮影するいくつかの例を変形例として説明する。
【００８２】
図５は、本発明の実施の形態を携帯電話機に適用した場合の一実施例を示す図であり、図５（ａ）は携帯電話機（開状態）の外観を示す正面図、図５（ｂ）は背面図である。
図５において、携帯電話機１００は大きく、蓋部１０２と本体部１０３から構成されている。蓋部１０２は本体部１０３側に折り込み可能に構成されている。アンテナ１０４は蓋部１０２の背面に設けられており、伸縮自在となっている。
【００８３】
スピーカ１０５は、蓋部１０２の前面側に設けられており、音声出力を行う。表示部（メイン表示部）１０６はカラー液晶であり、開状態でカメラモードへの移行を検出すると、スルー画像を表示する。シャッターキー１０７は、本体部１０３の側面に設けられており、カメラモードにおいて、ユーザの押圧操作により、後述する撮像レンズ１１２による撮像を指示する。キー入力部１０８は本体部１０３の前面に設けられており、各種機能キーや、テンキーからなる。マイク１０９は本体部１０３の下部に設けられており、音声入力を行う。
【００８４】
サブ表示部１１０は、蓋部１０２の背面に設けられている。該サブ表示部１１０の表示面は、後述する撮像レンズ１１２の光軸とほぼ直交するように配置されている。背面キー１１１は、透明、又は半透明部材で構成され、着信の際発光するＬＥＤを内蔵する。撮像レンズ１１２は、蓋部１０２の背面、上記サブ表示部１１０の下部に設けられている。バッテリーパック１１３は本体部１０３の裏面に着脱可能に設けられており、ロック部１１４により固定されている。ロック部１１４は、バッテリーパック１１３を本体部１０３に固定するためのものである。報知スピーカ１１５は着信などを報知するものであり、蓋部１０２を本体部１０３に閉じた状態でも報知音が聞こえるように、本体部１０３の裏面に配置されている。
【００８５】
図６は本実施形態による携帯電話機１００の回路構成の一実施例を示すブロック図である。  
無線送受信部１1６は無線によりアンテナ４を介して音声やデータを送受し変調／復調する。無線信号処理部１１７は、無線送受信部１１６で受信した音声やデータを復調し、或いは無線送受信部１１６から送信する音声やデータを変調するなどの無線通信に必要な処理を行う。
【００８６】
制御部１１８は、ＣＰＵと、後述する撮影モードでの撮影動作を含む動作プログラムを固定的に記憶したＲＯＭ、及びワークメモリとして使用されるＲＡＭ等で構成され、蓋部１０２、本体部１０３の各種動作及び携帯電話機１００全体の動作を制御する。  
例えば、撮影モードにおいて、制御部１１８はこの開閉検出部１２０からの検出信号により制御部１１８は携帯電話機１００が開状態になってから閉状態になるまでは同じＡＦ値で撮影を行うように制御を行う。つまり、携帯電話機１００は開状態になってから撮影モードが選択されると１枚目の撮影時にオートフォーカスを行い、２枚目からは１枚目のＡＦ値で撮影を行うよう制御される（図７参照）。
【００８７】
検出部１１９はシャッターキー１０７が操作されたことを検出する。開閉検出部１２０は、光センサ、メカニカルスイッチ等で構成され、携帯電話機１００が開状態（蓋部１０２と本体部１０３が開放された状態）になったのか、閉状態（本体部１０３に蓋部１０２が被さった状態）かを検出し、検出信号を制御部１１８に送出する。
【００８８】
ドライバ１２１は表示部１０６を駆動させる。ドライバ１２２は、サブ表示部１１０を駆動させる。加入者情報記憶部１２３は、本携帯電話機１００を呼び出すための電話機番号や、ユーザ（加入者）のＩＤ等、プロフィールデータを格納する。
【００８９】
ＲＯＭ１２４は、制御部１１８を制御する各種プログラムなどを記憶する。ＲＡＭ１２５は無線通信端末として必要な各種データを記憶し、且つ制御部１１８が動作する上で必要なデータを記憶すると共に、撮像された画像データも記憶する。音声信号処理部１２６は、マイク１０９から入力された音声信号を符号化処理したり、無線信号処理部１１７から出力された信号を復号化してスピーカ１０５から出力したりする。
【００９０】
ＤＳＰ１２７は、撮影モジュール１２８に取り込まれた画像データを符号化処理する。撮影モジュール１２８はＣＣＤ若しくはＣＭＯＳで構成され、撮像レンズ１１２を介して被写体画像を取り込む。また、撮影モジュール１２８は焦点距離を無段階に可変するズーム機能及びオートフォーカス（ＡＦ）機能を有している。なお、ズーム機能は必須ではない。  
報知デバイス１２９は、スピーカ１１５、バイブレータ１３０、ＬＥＤ２１１を駆動するためのドライバである。
【００９１】
図７は撮影モード時における携帯電話機１００の動作例を示すフローチャートである。以下に示す処理は基本的に制御部１１８が予め固定記憶したプログラムに従って実行するものである。  
ここでは、シャッターキー１０７は１段階のストローク操作で動作し、基本的な動作としてストローク操作、つまり、シャッターキー１０７を押すとＡＦ動作を実行して合焦状態と露出状態をロックして撮影を行い、２枚目以降については携帯電話機１００が閉状態になるまでシャッターキー１０７が押されるたびに１枚目のＡＦ値による合焦状態及び露出状態による撮影が行われるものとする。また、携帯電話機１００は前述した実施形態１及び実施形態２のデジタルカメラ１と同様に静止画だけでなく動画の記録と再生が可能であるものとする。
【００９２】
図７で、携帯電話機１００が開状態になると、制御部１１８は、先ず、撮影モードが選択されているか否かを調べ、撮影モードが選択されている場合は撮影枚数をカウントする内部カウンタＫの値を１に設定してから（ステップＵ１）、その時点で選択されている撮影レンズ１１２のズーム位置に対応した焦点距離でＡＥ処理を実行し、適正露出値を得て絞り値及びシャッター速度を設定する（ステップＵ２）。
【００９３】
次に、撮影モジュール１２８から画像データを得てメイン表示部１０６にスルー画像を表示しながら（ステップＵ３）、シャッターキー１０７が押されたか否かを調べ、シャッターキー１０７が押された場合はステップＵ５に進み、そうでない場合はステップＵ２に戻る（ステップＵ４）。  
シャッターキー１０７が押された場合は、撮影回数カウンタＫの値が２以上か否かを調べ、Ｋ＝１のときはステップＵ６に進みＫ≧２の場合はステップＵ７に進む（ステップＵ５）。
【００９４】
Ｋ＝１の場合は、制御部１１８は所定のフォーカスエリアにピントが合うようにＡＦ処理を行って合焦位置をロックする。また、このとき同時に、直前のステップＵ２でのＡＥ処理で取得した絞り値とシャッター速度をロックする。また、これらの撮影条件（合焦位置、適正露出値、絞り値及びシャッター速度等）はＲＡＭに保持（一時記憶）する（ステップＵ６）。
【００９５】
Ｋ≧２の場合は、制御部１１８は次回の撮影で２枚目を１枚目のＡＦ値等の撮影条件で撮影するか否かを決定するためのＡＦ要否判定を行う。つまり、開閉検出部１２０からの信号を調べ、携帯電話機１００が開状態（＝蓋部１０２が開放されている）か否か調べ、開状態の場合はＡＦ不要と判定して２枚目を１枚目のＡＦ値等の撮影条件で撮影するためにステップＵ８に進み、閉状態（＝蓋部１０２が閉鎖されている）の場合はステップＵ１に戻る（ステップＵ７）。
【００９６】
ＡＦ不要の場合、つまり、携帯電話機１００が開状態の場合は、制御部１１８は、上記ステップＵ６でＲＡＭに保持した撮影条件、すなわち、１枚目の撮影で取得したＡＦ値に基く合焦状態及び露出状態により撮影を行い、光学系１２、ＣＣＤ１３〜カラープロセス回路１８〜ＤＲＡＭインターフェイス２０を介して画像データをＤＲＡＭ２１に取り込み（ステップＵ８）、取り込んだ画像データにデータ圧縮処理を施してファイル化してメモリカード２８又は内蔵メモリ２９に記録保存する（ステップＵ９）。
【００９７】
次に、制御部１１８はユーザが所定時間内に撮影終了操作を行ったか否かを調べ、撮影終了操作が行われた場合は合焦位置、絞り値、及びシャッター速度のロックを解除すると共に、撮影処理を終了する。また、所定時間内に撮影終了操作が行われない場合はステップＵ１１に進み（ステップＵ１０）、次の被写体の撮影準備を行うために、撮影枚数をカウントする内部カウンタＫに１を加えてからステップＵ２に戻る（ステップＵ１１）。
【００９８】
上記図７のフローチャートに示す動作により、カメラ機能付きの折畳式携帯電話機１００は、開閉検出部１２０からの開閉検出信号を調べることにより、蓋１０２が開いている間は１枚目の撮影で得たＡＦ値等の撮影条件で２枚目以降の撮影を行うことができるので、「待ち受け」などＣＰＵがカメラ機能以外の動作を行う携帯電話機において、ＣＰＵの負担を伴うオートフォーカスを撮影のたびに行う必要がなくなるのでＣＰＵの負担を軽減できる。
【００９９】
(変形例)  
以下、開閉検出部１２０以外のＡＦ要否判定情報取得手段によって２枚目を１枚目のＡＦ値等の撮影条件で撮影するか否かを決定するいくつかの例について説明する。  
＜変形例Ａ＞  
携帯電話機では様々なモードがあって、カメラと異なり継続して撮影モードにしておくことが少ない。そこで、撮影モードが変更されていない場合は、２枚目の撮影条件も同じでよいとみなし、１枚目の撮影直後に撮影モードを保持し、２枚目の撮影時にシャッターキー１０７が全押しされた場合に今回の撮影モードと１枚目の撮影直後に保持した撮影モードとを比較して２枚目を１枚目のＡＦ値等の撮影条件で撮影するか否かを決定するようにしてもよい。
【０１００】
つまり、図７のフローチャートのステップＵ１１を、「次の被写体の撮影準備を行うために、現在の撮影モードをＡＦ要否判定情報としてＲＡＭに上書き保持すると共に、撮影枚数をカウントする内部カウンタＫに１を加えてからステップＵ２に戻る。」ように構成し、ステップＵ１１を、ステップＵ７を、「Ｋ≧２の場合は、制御部１１８は次回の撮影で２枚目を１枚目のＡＦ値等の撮影条件で撮影するか否かを決定するためのＡＦ要否判定を行う。つまり、今回の撮影モードと１枚目の撮影直後にＲＡＭに保持した撮影モードを比較し、撮影モードが同じ場合は２枚目を１枚目のＡＦ値等の撮影条件で撮影するためにステップＵ７に進み、撮影モードが異なる場合はステップＵ１に進む」ように構成すればよい。なお、この場合、ＡＦ要否判定情報取得手段には制御部１１８が相当するので、携帯電話機１００は開閉検出手段１２０を備えた折畳式携帯電話機に限定されない。
このように構成することにより、携帯電話機１００は、選択した撮影モードを抜け出すまでは１枚目の撮影時に得たＡＦ値等の撮影条件で２枚目の撮影を行うことができるので、実施形態３の場合とほぼ同様の効果を得ることができる。
【０１０１】
＜変形例Ｂ＞  
携帯電話機１００がズーム機能を備えているものとし、ズームが変更されていないときは、被写体との距離が変わっていないとみなし、１枚目の撮影直後にズーム値を保持し、２枚目の撮影時にシャッターキー１０７が全押しされた場合に今回のズーム値と１枚目の撮影直後に保持したズーム値とを比較して２枚目を１枚目のＡＦ値等の撮影条件で撮影するか否かを決定することができる。
【０１０２】
つまり、図７のフローチャートのステップＵ１１を、「次の被写体の撮影準備を行うために、ズーム値をＲＡＭに上書き保持すると共に、撮影枚数をカウントする内部カウンタＫに１を加えてからステップＵ２に戻る。」ように構成し、ステップＵ７を、「Ｋ≧２の場合は、制御部１１８は次回の撮影で２枚目を１枚目のＡＦ値等の撮影条件で撮影するか否かを決定するためのＡＦ要否判定を行う。つまり、今回のズーム値と１枚目の撮影直後にＲＡＭに保持したズーム値を比較し、ズーム値が同じ場合は２枚目を１枚目のＡＦ値等の撮影条件で撮影するためにステップＵ７に進み、ズーム値が異なる場合はステップＵ１に進む」ように構成すればよい。なお、この場合、ＡＦ要否判定情報取得手段には制御部１１８が相当するので、携帯電話機１００は開閉検出手段１２０を備えた折畳式携帯電話機に限定されない。  
このように構成することにより、携帯電話機１００のユーザはズーム値が変わらなければ１枚目の撮影時に得たＡＦ値等の撮影条件で２枚目の撮影を行うことができ、ズーム値が変わらない場合は被写体との距離がほぼ同じとみなせることから、オートフォーカスで、ある被写体を撮影したあとに同一の被写体又はその近くの被写体を撮影しようとする場合、いちいちオートフォーカス制御をするよりも素早く撮影ができるし良好な画質の写真を得ることができる。つまり、オートフォーカスモードを選択している状態で、１枚目の撮影が終わった後に、撮影した被写体の近くに生じたシャッターチャンスを逃さずにピントが合った写真を撮影することができる。
【０１０３】
＜変形例Ｃ＞  
フォーカスエリア内の画像の変化が閾値内の場合は、被写体との距離がほぼ同じとみなし、１枚目の撮影直後にフォーカスエリア内の画像データを保持し、２枚目の撮影時にシャッターキー１０７が全押しされた場合にフォーカスエリア内の今回の画像データと１枚目の撮影直後に保持した画像データとを比較して２枚目を１枚目のＡＦ値等の撮影条件で撮影するか否かを決定することができる。
【０１０４】
つまり、図６の携帯電話機１００の構成にフォーカスエリア内の画像データを取り出す画像取得部を設け、図７のフローチャートのステップＵ１１を、「次の被写体の撮影準備を行うために、画像取得部が取得した撮影時のフォーカスエリア内の画像をＡＦ要否判定情報としてＲＡＭに上書き保持すると共に、撮影枚数をカウントする内部カウンタＫに１を加えてからステップＵ２に戻る」ように構成し、ステップＵ７を、「Ｋ≧２の場合は、制御部１１８は次回の撮影で２枚目を１枚目のＡＦ値等の撮影条件で撮影するか否かを決定するためのＡＦ要否判定を行う。つまり、画像取得部で取得している今回のフォーカスエリア内の画像と１枚目の撮影直後にＲＡＭに保持したフォーカスエリア内の画像を比較し、画像の変化の大きさが所定の閾値以内の場合は２枚目を１枚目のＡＦ値等の撮影条件で撮影するためにステップＵ７に進み、画像の変化の大きさが所定の閾値を超える場合はステップＵ１に戻る」ように構成すればよい。なお、フォーカスエリア内の画像の比較は公知の画像比較技術を用いて行うことができる。また、この例では、ＡＦ要否判定情報取得手段には制御部１１８が相当するので、携帯電話機１００は開閉検出手段１２０を備えた折畳式携帯電話機に限定されない。  
このように構成することにより、携帯電話機１００は、１枚目の撮影時に得たＡＦ値等の撮影条件で２枚目の撮影を行うことができるので、フォーカスエリア内の画像の変化があまり大きくない場合は被写体との距離がほぼ同じとみなせることから、上記変形例Ｂの場合と同様の効果を得ることができる。
【０１０５】
＜変形例Ｄ＞  
フォーカスエリア枠周辺の画像（周辺画像）の変化の大きささが閾値内の場合は、被写体との距離がほぼ同じとみなし、１枚目の撮影直後に周辺画像の画像データ（周辺画像データ）を保持し、２枚目の撮影時にシャッターキー１０７が全押しされた場合に今回の周辺画像データと１枚目の撮影直後に保持した周辺画像データとを比較して２枚目を１枚目のＡＦ値等の撮影条件で撮影するか否かを決定することができる。
【０１０６】
つまり、図６の携帯電話機１００の構成に周辺画像データを取り出す画像取得部を設け、図７のフローチャートのステップＵ１１を、「次の被写体の撮影準備を行うために、画像取得部が取得した撮影時の周辺画像をＡＦ要否判定情報としてＲＡＭに上書き保持すると共に、撮影枚数をカウントする内部カウンタＫに１を加えてからステップＵ２に戻る」ように構成し、ステップＵ７を、「Ｋ≧２のときは、制御部１１８はＡＦ要否判定を行う、つまり、画像取得部で取得している今回の周辺画像と１枚目の撮影直後にＲＡＭに保持した周辺画像を比較し、周辺画像の変化の大きさが所定の閾値以内の場合は２枚目を１枚目のＡＦ値等の撮影条件で撮影するためにステップＵ８に進み、周辺画像の変化の大きさが所定の閾値を超える場合はステップＵ１に戻る」ように構成すればよい。なお、周辺画像の比較は上述した変形例Ｃと同様公知の画像比較技術を用いて行うことができる。また、この例では、ＡＦ要否判定情報取得手段には制御部１１８が相当するので、携帯電話機１００は開閉検出手段１２０を備えた折畳式携帯電話機に限定されない。  
このように構成することにより、携帯電話機１００は１枚目の撮影時に得たＡＦ値等の撮影条件で２枚目の撮影を行うことができるので、フォーカスエリア枠周辺の画像の変化があまり大きくない場合は被写体との距離がほぼ同じとみなせることから、上記変形例Ｂの場合と同様の効果を得ることができる。
【０１０７】
＜変形例Ｅ＞  
携帯電話機１００が撮影条件設定の集合セットであるベストショット機能を備えているとした場合に、”同じ距離の被写体を撮る”という機能をベストショットの１シーンとし、１枚目の撮影開始時にユーザがベストショットモードを選択し、ベストショット選択メニューの中に”同じ距離の被写体を撮る”シーンのメニューを表示し、ユーザがこのメニューを選択した場合には、２枚目の撮影時にシャッターキー１０７が全押しされると２枚目を１枚目のＡＦ値等の撮影条件で撮影するように構成してもよい。
【０１０８】
つまり、図７のフローチャートのステップＵ７を、「Ｋ≧２のとき、制御部１１８はＡＦ要否判定を行う、つまり、”同じ距離の被写体を撮る”というベストショットのシーンが選択されているか否かを調べ、選択されている場合は２枚目を１枚目のＡＦ値等の撮影条件で撮影するためにステップＵ８に進み、選択されていない場合はステップＵ１戻る」ように構成すればよい。なお、この場合、ＡＦ要否判定情報取得手段には制御部１１８が相当するので、携帯電話機１００は開閉検出手段１２０を備えた折畳式携帯電話機に限定されない。  
このように構成することにより、ある被写体を撮影したあとに同一の被写体又はその近くの被写体を撮影しようとする場合、ユーザがベストショットモードで”同じ距離の被写体を撮る”シーンを選択すれば、携帯電話機１００はベストショットモードで、ユーザがシャッターキー１０７を押せば１枚目の撮影時に得たＡＦ値等の撮影条件で２枚目の撮影を行う。
【０１０９】
また、携帯電話機１００において、上記実施形態３及び各変形例における、２枚目を１枚目のＡＦ値等の撮影条件で撮影するか否かを決定する条件を組み合わせるようにしてもよい。  
つまり、実施形態１では携帯電話機１００の開閉状態、変形例Ａでは撮影モードの変動の有無、変形例Ｂではズーム変動の有無、変形例Ｃではフォーカスエリア内の画像の変化の程度、変形例Ｄではフォーカスエリア枠周辺の画像の変化の程度、変形例Ｅではベストショットモードの”同じ距離の被写体を撮る”シーン選択の有無、を２枚目を１枚目のＡＦ値等の撮影条件で撮影するか否かを決定する条件としているが、これらを適宜組み合わせて２枚目を１枚目のＡＦ値等の撮影条件で撮影するようにしてもよい。
【０１１０】
なお、上記各実施形態及び変形例の説明（図３、図４、図７）において、１枚目の撮影か２枚目以降の撮影かを判定するために撮影枚数カウンタＫを用いるようにしたが、１枚目の撮影か２枚目以降の撮影かを判定する手段は撮影枚数カウンタ限定されない。例えば、Ｋを１枚目ではＫ＝０、２枚目以降では常にＫ＝１の値をとる撮影フラグ（又はプログラム上のスイッチ手段）として用いるようにしてもよい。
【０１１１】
以上、本発明のいくつかの実施例について説明したが本発明は上記各実施例に限定されるものではなく、種々の変形実施が可能であることはいうまでもない。また、上記実施形態１、実施形態２では撮像装置としてデジタルカメラを例としたが、撮像装置はデジタルカメラに限定されない。
【図面の簡単な説明】
【０１１２】
【図１】デジタルカメラの外観構成の一例を示す図である。
【図２】図１のデジタルカメラの電子回路構成の一実施例を示す図である。
【図３】実施形態１における撮影モード時のデジタルカメラの動作例を示すフローチャートである。
【図４】実施形態２における撮影モード時のデジタルカメラの動作例を示すフローチャートである。
【図５】携帯電話機の外観構成の一例を示す図である。
【図６】携帯電話機の回路構成の一実施例を示すブロック図である。
【図７】撮影モード時における携帯電話機の動作例を示すフローチャートである。
【符号の説明】
【０１１３】
１  デジタルカメラ（撮像装置）
９、１０７  シャッターキー（撮像指示手段）
２２、１１８  制御部（撮影制御手段、合焦要否判定手段）
２８  メモリカード（画像記録手段）
２９  内蔵メモリ（画像記録手段）
３１  動き検出部（合焦情報取得手段）
１００  カメラ付き携帯電話機
１２０  開閉検出手段
１２８  撮像モジュール（オートフォーカス手段、撮像手段）
Ｋ  内部カウンタ（枚数判定情報）
ｔ、ｔ１  内部カウンタ（操作時間計測手段）
ｔ２  内部カウンタ（撮影間隔計測手段）
【図１】
2006098589.tif 000003
【図２】
2006098589.tif 000004
【図３】
2006098589.tif 000005
【図４】
2006098589.tif 000006
【図５】
2006098589.tif 000007
【図６】
2006098589.tif 000008
【図７】
2006098589.tif 000009